(57)【要約】【課題】  無線ＬＡＮアクセスポイント装置において、無線ＬＡＮ端末の帰属中に、プロファイル情報の変更に伴いビーコンの内容が変更された場合等に、その無線ＬＡＮ端末の帰属を維持することが出来ない。【解決手段】  無線ＬＡＮ端末を帰属させる第一のビーコンまたは第二のビーコンを同一チャンネル上で送信可能な送信手段と、前記無線ＬＡＮ端末が帰属している前記第一のビーコンに対応付けられている第一のプロファイル情報が第二のプロファイル情報に変更される際、前記第一のプロファイル情報を対応付けた前記第二のビーコンを前記送信手段に送信させる制御手段とを備える。【選択図】      図４
2015188173.tif 000002
【特許請求の範囲】
【請求項１】
無線ＬＡＮ端末を帰属させる第一のビーコンまたは第二のビーコンを同一チャンネル上で送信可能な送信手段と、
前記無線ＬＡＮ端末が帰属している前記第一のビーコンに対応付けられている第一のプロファイル情報が第二のプロファイル情報に変更される際、前記第一のプロファイル情報を対応付けた前記第二のビーコンを前記送信手段に送信させる制御手段と
を備えることを特徴とする無線ＬＡＮ装置。
【請求項２】
前記第二のビーコンによって帰属している無線ＬＡＮ端末から所定の信号を受信すると、前記プロファイル情報の変更を示す所定のメッセージを前記無線ＬＡＮ端末に表示することを特徴とする請求項１に記載の無線ＬＡＮ装置。
【請求項３】
前記第二のビーコンによって帰属している無線ＬＡＮ端末から前記第二のプロファイル情報の取得要求を受信すると、前記第二のプロファイル情報を前記無線ＬＡＮ端末に送信することを特徴とする請求項１または２に記載の無線ＬＡＮ装置。
【請求項４】
前記第二のビーコンの送信は前記プロファイル情報の変更後に開始し、前記第二のビーコンに帰属している無線ＬＡＮ端末全てが前記帰属を止めたときに停止することを特徴とする請求項１乃至３に記載の無線ＬＡＮ装置。
【請求項５】
無線ＬＡＮ装置における第一のビーコンに対応付けて設定されている第一のプロファイル情報が第二のプロファイル情報に変更された際、第一のプロファイル情報が対応付けて設定された第二のビーコンに帰属し、前記第二のプロファイル情報の取得要求を前記無線ＬＡＮ装置に送信し、前記取得要求に応じて受信した前記第二のプロファイル情報を自身に登録することを特徴とする無線ＬＡＮ端末。
【請求項６】
無線ＬＡＮ端末を帰属させる第一のビーコンまたは第二のビーコンを同一チャンネル上で送信する送信工程と、
前記無線ＬＡＮ端末が帰属している前記第一のビーコンに対応付けられている第一のプロファイル情報が第二のプロファイル情報に変更される際、前記第一のプロファイル情報を対応付けた前記第二のビーコンを前記送信工程により送信させる制御工程と
を備えることを特徴とする無線ＬＡＮ装置の制御方法。
【請求項７】
前記第二のビーコンによって帰属している無線ＬＡＮ端末から所定の信号を受信すると、前記プロファイル情報の変更を示す所定のメッセージを前記無線ＬＡＮ端末に表示することを特徴とする請求項６に記載の無線ＬＡＮ装置の制御方法。
【請求項８】
前記第二のビーコンによって帰属している無線ＬＡＮ端末から前記第二のプロファイル情報の取得要求を受信すると、前記第二のプロファイル情報を前記無線ＬＡＮ端末に送信することを特徴とする請求項６または７に記載の無線ＬＡＮ装置の制御方法。
【請求項９】
前記第二のビーコンの送信は前記プロファイル情報の変更後に開始し、前記第二のビーコンに帰属している無線ＬＡＮ端末全てが前記帰属を止めたときに停止することを特徴とする請求項６乃至８に記載の無線ＬＡＮ装置の制御方法。
【請求項１０】
無線ＬＡＮ装置における第一のビーコンに対応付けて設定されている第一のプロファイル情報が第二のプロファイル情報に変更された際、第一のプロファイル情報が対応付けて設定された第二のビーコンに帰属し、前記第二のプロファイル情報の取得要求を前記無線ＬＡＮ装置に送信し、前記取得要求に応じて受信した前記第二のプロファイル情報を登録することを特徴とする無線ＬＡＮ端末の制御方法。
【発明の詳細な説明】
【技術分野】
【０００１】
本発明は、無線ＬＡＮ装置、端末および方法に関する。
【背景技術】
【０００２】
無線ＬＡＮアクセスポイント装置と無線ＬＡＮ端末との通信に関し、無線ＬＡＮアクセスポイント装置において、プロファイル情報が変更された場合、プロファイル情報の変更に伴いビーコンの内容が変更されて無線ＬＡＮ端末との接続が切断されてしまう。ＬＡＮはLocal Area Networkの略称である。その際、ユーザが無線ＬＡＮ端末を無線ＬＡＮアクセスポイント装置に再接続させる必要がある。また、そのためには、ユーザが無線ＬＡＮアクセスポイント装置やプロファイル情報を変更した人などに赴いて変更後のプロファイル情報を入手し、無線ＬＡＮ端末に設定する必要がある。このような作業はユーザに負担となる。
【０００３】
上述の無線ＬＡＮ端末の接続が切断される問題に関連し、ハンドオーバー機能を備えない無線ＬＡＮ端末について、無線ＬＡＮアクセスポイント装置と無線ＬＡＮ端末との間の通信品質が低下した場合に、ハンドオーバーを行う技術が特許文献１に記載されている。
【０００４】
すなわち、特許文献１に記載の技術は次の通りである。
【０００５】
無線ＬＡＮアクセスポイント装置は、自身に帰属している無線ＬＡＮ端末の通信品質の情報を取得する。無線ＬＡＮアクセスポイント装置は、取得した通信品質の情報と、無線ＬＡＮ端末との通信に使用され、通信中の無線ＬＡＮ端末に個別に付与されるＢＳＳＩＤ（Basic Service Set Identifier）とを周期的にルータ装置に送信する。ルータ装置は、受信した通信品質の情報にもとづいてハンドオーバーが必要であると判断した場合、複数の無線ＬＡＮアクセスポイント装置に、受信したＢＳＳＩＤを通知し、無線ＬＡＮ端末の通信品質を通知するよう要求する。ルータ装置は、通知された通信品質の中で最も良いものを持つ無線ＬＡＮアクセスポイント装置をハンドオーバー先とする。ハンドオーバー先となった無線ＬＡＮアクセスポイント装置は、通知されたＢＳＳＩＤを使用して通信を行っている無線ＬＡＮ端末を帰属させ、ハンドオーバー先とならなかった無線ＬＡＮアクセスポイント装置は、通知されたＢＳＳＩＤを削除する。なお、ハンドオーバー先となった無線ＬＡＮアクセスポイント装置がハンドオーバーの対象の無線ＬＡＮ端末を帰属させるため、その無線ＬＡＮ端末はハンドオーバー機能を備えないものでよい。つまり、特許文献１に記載の技術において、無線ＬＡＮアクセスポイント装置と無線ＬＡＮ端末との間の通信品質が低下した場合に、他の無線ＬＡＮアクセスポイント装置にハンドオーバーを行って無線ＬＡＮ端末の帰属を維持することが可能である。
【先行技術文献】
【特許文献】
【０００６】
【特許文献１】特開２０１０−１７８１７５号公報
【発明の概要】
【発明が解決しようとする課題】
【０００７】
特許文献１に記載の技術において、無線ＬＡＮアクセスポイント装置と無線ＬＡＮ端末との間の通信品質が低下した場合に、無線ＬＡＮ端末の帰属を維持することが可能である。しかしながら、その帰属の維持は他の無線ＬＡＮアクセスポイント装置へのハンドオーバーによっており、近隣に帰属可能な他の無線ＬＡＮアクセスポイント装置が無い場合等に、無線ＬＡＮアクセスポイント装置への無線ＬＡＮ端末の帰属が維持されなくなってしまう。このため、前述のようなユーザに負担となる作業が発生する。つまり、無線ＬＡＮアクセスポイント装置において、無線ＬＡＮ端末の帰属中に、プロファイル情報の変更に伴いビーコンの内容が変更された場合等に、その無線ＬＡＮ端末の帰属を維持することが出来ないことが課題である。
【０００８】
本発明の目的は、この課題を解決する無線ＬＡＮ装置、端末および方法を提供することである。
【課題を解決するための手段】
【０００９】
本発明の無線ＬＡＮ装置は、無線ＬＡＮ端末を帰属させる第一のビーコンまたは第二のビーコンを同一チャンネル上で送信可能な送信手段と、前記無線ＬＡＮ端末が帰属している前記第一のビーコンに対応付けられている第一のプロファイル情報が第二のプロファイル情報に変更される際、前記第一のプロファイル情報を対応付けた前記第二のビーコンを前記送信手段に送信させる制御手段とを備えることを特徴とする。
【００１０】
本発明の無線ＬＡＮ装置の制御方法は、無線ＬＡＮ端末を帰属させる第一のビーコンまたは第二のビーコンを同一チャンネル上で送信する送信工程と、前記無線ＬＡＮ端末が帰属している前記第一のビーコンに対応付けられている第一のプロファイル情報が第二のプロファイル情報に変更される際、前記第一のプロファイル情報を対応付けた前記第二のビーコンを前記送信工程により送信させる制御工程とを備えることを特徴とする。
【発明の効果】
【００１１】
本発明によれば、無線ＬＡＮアクセスポイント装置において、無線ＬＡＮ端末の帰属中に、プロファイル情報の変更に伴いビーコンの内容が変更された場合等に、その無線ＬＡＮ端末の帰属を維持することが可能となる。
【図面の簡単な説明】
【００１２】
【図１】本発明の第１の実施形態における無線ＬＡＮの構成例を示す図である。
【図２】本発明の第１の実施形態における無線ＬＡＮアクセスポイント装置の構成例を示す図である。
【図３】本発明の第１の実施形態における無線ＬＡＮについての動作フローを示す図である。
【図４】本発明の第２の実施形態における無線ＬＡＮ装置の構成例を示す図である。
【発明を実施するための形態】
【００１３】
本発明の第１の実施形態について、図面を参照して説明する。
【００１４】
本実施形態において、無線ＬＡＮアクセスポイント装置が、無線ＬＡＮ端末の帰属中に、プロファイル情報の変更に伴いビーコンの内容が変更された場合に、その無線ＬＡＮ端末の帰属を維持する。
【００１５】
図１に本実施形態における無線ＬＡＮの構成例を示す。本無線ＬＡＮは、無線ＬＡＮアクセスポイント装置１０、無線ＬＡＮ端末２０を有する。
【００１６】
無線ＬＡＮアクセスポイント装置１０は、自身に無線ＬＡＮ端末が帰属できるように自身の無線ネットワークを通知するビーコン（パケット）を送信する。ビーコンのパケットには送信チャンネル、プロファイル情報の一部であるネットワーク名、暗号化モードが含まれる。ビーコンは所定の間隔で送信される。また、無線ＬＡＮアクセスポイント装置１０は、インターネット（登録商標）にアクセス可能である。なお、無線ＬＡＮアクセスポイント装置１０には、無線ＬＡＮアクセスポイント装置１０のプロファイル情報を含む設定情報を登録・変更することが可能なパソコン等が接続される。
【００１７】
無線ＬＡＮ端末２０には、予め、接続したい無線ＬＡＮアクセスポイント装置のプロファイル情報（ネットワーク名、暗号化モード、暗号化キー）が登録される。無線ＬＡＮ端末２０は、無線ＬＡＮアクセスポイント装置からのビーコンを受信し、ビーコンに含まれているプロファイル情報が自身に登録されているものと同じであれば帰属を行う。無線ＬＡＮ端末２０は、自身に登録されている暗号化モードと暗号化キーを使用して接続認証や無線パケットの送受信を行う。なお、無線ＬＡＮ端末２０は、無線ＬＡＮアクセスポイント装置からのビーコンを所定の間隔で受信し続けることにより無線ＬＡＮアクセスポイント装置への帰属・接続を維持する。無線ＬＡＮ端末２０は、無線ＬＡＮアクセスポイント装置を介してインターネット（登録商標）にアクセス可能である。
【００１８】
図２に無線ＬＡＮアクセスポイント装置１０の構成例を示す。無線ＬＡＮアクセスポイント装置１０は、無線ＬＡＮインタフェース部１１を有する。
【００１９】
上述の構成例を踏まえ、本実施形態における無線ＬＡＮについての動作について、図１〜図３を参照して説明する。なお、図３は本実施形態における無線ＬＡＮについての動作フローを示す図である。
【００２０】
予め、ユーザにより、無線ＬＡＮアクセスポイント装置１０でプロファイル情報Ａ（ネットワーク名ａ、暗号化モードａ、暗号化キーａ）が仮想インタフェースおよびビーコンに対応付けられてメモリ等に登録される。これにより、無線ＬＡＮアクセスポイント装置１０はネットワーク名ａ、暗号化モードａをパケットに含むビーコンを送信することとなる。また、ユーザにより、無線ＬＡＮ端末２０でプロファイル情報Ａがメモリ等に登録される。
【００２１】
なお、無線ＬＡＮアクセスポイント装置１０は同一の送信チャンネルで仮想的に設けられた複数のインタフェースから複数のビーコンをそれぞれ送信することが可能である。無線ＬＡＮアクセスポイント装置１０は複数のプロファイル情報がそれぞれ対応付けられた複数のビーコンを異なるタイミングで送信することにより、各プロファイル情報が登録されている無線ＬＡＮ端末を帰属させることが可能である。
【００２２】
ここで、無線ＬＡＮアクセスポイント装置１０において、無線ＬＡＮインタフェース部１１に仮想インタフェースＡ、仮想インタフェースＢが設けられているものとする。また、仮想インタフェースＡ、仮想インタフェースＢからビーコンＡ、ビーコンＢがそれぞれ送信されるものとする。なお、プロファイル情報Ａは仮想インタフェースＡおよびビーコンＡに対応付けられているものとする。
【００２３】
まず、無線ＬＡＮ端末２０が無線ＬＡＮアクセスポイント装置１０に帰属しており、無線ＬＡＮアクセスポイント装置１０はネットワーク名ａ、暗号化モードａをパケットに含むビーコンＡを仮想インタフェースＡから送信している状態であるとする。なお、この状態では仮想インタフェースＢは起動されていない。
【００２４】
ユーザにより、無線ＬＡＮアクセスポイント装置１０でプロファイル情報がＡ（ネットワーク名ａ、暗号化モードａ、暗号化キーａ）からＢ（ネットワーク名ｂ、暗号化モードｂ、暗号化キーｂ）に変更される（Ｓ１）。このプロファイル情報の変更に応じて、無線ＬＡＮアクセスポイント装置１０は仮想インタフェースＢを起動し、仮想インタフェースＡおよびビーコンＡに対応付けられているプロファイル情報Ａを仮想インタフェースＢおよびビーコンＢに対応付ける。このため、無線ＬＡＮアクセスポイント装置１０はネットワーク名ａ、暗号化モードａをパケットに含むビーコンＢを仮想インタフェースＢから送信する。また、無線ＬＡＮアクセスポイント装置１０はプロファイル情報Ｂを仮想インタフェースＡおよびビーコンＡに対応付ける。このため、無線ＬＡＮアクセスポイント装置１０はネットワーク名ｂ、暗号化モードｂをパケットに含むビーコンＡを仮想インタフェースＡから送信する。このビーコンＡを受信した無線ＬＡＮ端末２０にはプロファイル情報Ａが登録されているため、無線ＬＡＮ端末２０の、ビーコンＡによる無線ＬＡＮアクセスポイント装置１０への帰属が切断される（Ｓ２）。また、無線ＬＡＮ端末２０はビーコンＢを受信し、ビーコンＢに含まれているプロファイル情報が自身に登録されているものと同じなので、ビーコンＢにより無線ＬＡＮアクセスポイント装置１０に帰属する（Ｓ３）。
【００２５】
なお、上記のプロファイル情報の変更の前後で、プロファイル情報Ａに係るビーコン送信の継続性をより確実にするために、その変更の実行に先だって、仮想インタフェースＢの起動、プロファイル情報Ａに係るビーコンＢの送信を行うようにしてもよい。
【００２６】
以上のように、無線ＬＡＮアクセスポイント装置１０が、無線ＬＡＮ端末２０の帰属中に、プロファイル情報の変更に伴いビーコンの内容が変更された場合に、無線ＬＡＮ端末２０の帰属を維持する。
【００２７】
このように、無線ＬＡＮアクセスポイント装置において、無線ＬＡＮ端末の帰属中に、プロファイル情報の変更に伴いビーコンの内容が変更された場合等に、その無線ＬＡＮ端末の帰属を維持することが可能となる。
【００２８】
ここで、前述のプロファイル情報の変更に対して無線ＬＡＮ端末２０の帰属が維持された状態で、そのプロファイル情報の変更がユーザに通知される方法について説明する。
【００２９】
ユーザにより無線ＬＡＮ端末２０から無線ＬＡＮアクセスポイント装置１０またはインターネットへのアクセスが行われる際、無線ＬＡＮ端末２０はＨＴＴＰ（Hypertext Transfer Protocol）で情報取得要求（ＧＥＴコマンド）を送信する（Ｓ４）。無線ＬＡＮアクセスポイント装置１０はＧＥＴコマンドを受信すると、ＧＥＴコマンドがいかなるウェブページの要求であっても一旦、予め自身に設定されている所定のウェブページを無線ＬＡＮ端末２０に送信する（Ｓ５）。なお、その所定のウェブページは無線ＬＡＮアクセスポイント装置１０でプロファイル情報の変更があったことを示す。無線ＬＡＮ端末２０はその所定のウェブページをディスプレイ等に表示する。ユーザはその表示により無線ＬＡＮアクセスポイント装置１０でプロファイル情報の変更があったことを知り、変更後のプロファイル情報を入手して、無線ＬＡＮ端末２０のプロファイル情報を変更後のプロファイル情報に変更する。
【００３０】
さらに、上記の無線ＬＡＮ端末２０のプロファイル情報の変更方法について説明する。
【００３１】
プロファイル情報の変更が通知されたユーザにより無線ＬＡＮ端末２０から無線ＬＡＮアクセスポイント装置１０に変更後のプロファイル情報の取得要求が送信される。無線ＬＡＮアクセスポイント装置１０は変更後のプロファイル情報の取得要求を受信すると、無線ＬＡＮ端末２０に変更後のプロファイル情報を送信する。無線ＬＡＮ端末２０は登録されているプロファイル情報を受信した変更後のプロファイル情報に変更する（Ｓ６）。無線ＬＡＮアクセスポイント装置１０は変更後のプロファイル情報に含まれているネットワーク名ｂ、暗号化モードｂをパケットに含むビーコンＡを仮想インタフェースＡから送信している。無線ＬＡＮ端末２０はビーコンＡを受信し、ビーコンＡに含まれているプロファイル情報が自身に登録されているものと同じなので、ビーコン１により無線ＬＡＮアクセスポイント装置１０に帰属する（Ｓ７）。
【００３２】
なお、無線ＬＡＮアクセスポイント装置１０は送信しているビーコンに帰属している無線ＬＡＮ端末をそのＭＡＣ（Media Access Control）アドレス等で認識する。上述のように、無線ＬＡＮ端末２０は無線ＬＡＮアクセスポイント装置１０のプロファイル情報の変更によって帰属していた仮のビーコンから上述の無線ＬＡＮ端末２０のプロファイル情報の変更により元のビーコンに再帰属する。無線ＬＡＮアクセスポイント装置１０において、仮のビーコンに帰属している無線ＬＡＮ端末全てが仮のビーコンへの帰属を止めたとき、仮のビーコンの送信を停止するようにすれば、無線ＬＡＮアクセスポイント装置１０の消費電力の増加を抑えることが可能となる。
【００３３】
次に、本発明の第２の実施形態について、図面を参照して説明する。
【００３４】
図４に本実施形態における無線ＬＡＮ装置の構成例を示す。無線ＬＡＮ装置３０は、送信部３１、制御部３２を備える。
【００３５】
送信部３１は、無線ＬＡＮ端末を帰属させる第一のビーコンまたは第二のビーコンを同一チャンネル上で送信可能である。
【００３６】
制御部３２は、プロファイル情報をビーコンに対応付け、送信部３１にビーコンを送信させる。
【００３７】
図４を参照して、本実施形態における無線ＬＡＮ装置３０の動作について説明する。
【００３８】
無線ＬＡＮ装置３０は第一のプロファイル情報を第一のビーコンに対応付けて無線ＬＡＮ端末を帰属させている状態にあるものとする。
【００３９】
ユーザにより、無線ＬＡＮ装置３０において無線ＬＡＮ端末が帰属している第一のビーコンに対応付けられている第一のプロファイル情報について第二のプロファイル情報への変更が行われる。無線ＬＡＮ装置３０の制御部３２は、そのプロファイル情報の変更の際、第一のプロファイル情報を第二のビーコンに対応付け、送信部３１に第二のビーコンを送信させる。
【００４０】
以上のように、無線ＬＡＮ装置３０が、無線ＬＡＮ端末の帰属中に、プロファイル情報の変更に伴いビーコンの内容が変更された場合に、無線ＬＡＮ端末の帰属を維持する。
【００４１】
このように、無線ＬＡＮアクセスポイント装置において、無線ＬＡＮ端末の帰属中に、プロファイル情報の変更に伴いビーコンの内容が変更された場合等に、その無線ＬＡＮ端末の帰属を維持することが可能となる。
【産業上の利用可能性】
【００４２】
本発明は、無線ＬＡＮ装置、端末および方法に利用可能である。
【符号の説明】
【００４３】
１０    無線ＬＡＮアクセスポイント装置
１１    無線ＬＡＮインタフェース部
２０    無線ＬＡＮ端末
３０    無線ＬＡＮ装置
３１    送信部
３２    制御部
【図１】
2015188173.tif 000003
【図２】
2015188173.tif 000004
【図３】
2015188173.tif 000005
【図４】
2015188173.tif 000006